(57)【要約】一実施形態において、バッテリをチャージするためにバッテリに並列に結合された異なる集積回路（ＩＣｓ）上の３つ以上のバッテリチャージャを備えるフューエルゲージシステムが記載される。各バッテリチャージャＩＣは同一バッテリへ前記各バッテリチャージャＩＣにより発生された電流を示す電流信号を発生する。フューエルゲージシステムは電圧、電流、および温度情報の組み合わせに基づいて、チャージのバッテリ状態を正確に報告する能力がある(responsible for)。
2018515056.tif 000002
【特許請求の範囲】
【請求項１】
バッテリをチャージするためにバッテリに並列に結合された異なる複数の集積回路（ＩＣｓ）上の３つ以上のバッテリチャージャと、各バッテリチャージャＩＣは前記同一バッテリへの前記各バッテリチャージャにより発生された電流を示す電流信号を発生する、および
前記バッテリによりディスチャージされた電流および前記複数のバッテリチャージャからの前記複数の電流信号に応答してトータルバッテリ電流を決定するためのフューエルゲージと
を備えるフューエルゲージシステム。
【請求項２】
前記複数の電流信号は複数のアナログ電圧信号であり、前記フューエルゲージは前記トータルチャージ電流を決定するために前記複数のアナログ電圧信号を合計する、請求項１のフューエルゲージシステム。
【請求項３】
前記複数の電流信号は複数のアナログ電流信号であり、前記フューエルゲージは前記トータルチャージ電流を決定するために前記複数のアナログ電流信号を合計する、請求項１のフューエルゲージシステム。
【請求項４】
前記複数の電流信号は各バッテリチャージャＩＣ上で発生された複数のデジタル信号であり、前記フューエルゲージは前記トータルチャージ電流を決定するために前記複数のデジタル信号を合計する、請求項１のフューエルゲージシステム。
【請求項５】
前記フューエルゲージは前記複数のバッテリチャージャＩＣｓの１つ上にあり、前記他の複数のバッテリチャージャＩＣｓはバスを介して前記複数のバッテリチャージャＩＣｓの前記１つに通信する、請求項４のフューエルゲージシステム。
【請求項６】
前記フューエルゲージは前記複数のバッテリチャージャから分離された１つの集積回路上にあり前記複数おｎバッテリチャージャから前記複数の電流信号を受信する、請求項１のフューエルゲージシステム。
【請求項７】
１つのバッテリチャージャＩＣは前記１つのＩＣ上の前記トータルチャージ電流を決定するために前記１つのバッテリチャージャＩＣ上の電流検出回路の入力から前記他の複数のバッテリチャージャＩＣからの前記バッテリチャージ電流を結合する、請求項１のフューエルゲージシステム。
【請求項８】
前記バッテリチャージャの１つは電力管理集積回路（ＰＭＩＣ）ＩＣの一部であり、前記フューエルゲージは前記ＰＭＩＣの一部である、請求項１のフューエルゲージシステム。
【請求項９】
バッテリをチャージするために前記バッテリに並列に異なる集積回路（ＩＣｓ）上の３つ以上のバッテリチャージャを結合する手段と、ここで各バッテリチャージャＩＣは同一バッテリへ各バッテリチャージャＩＣにより発生された電流を示す電流信号を発生する、
前記バッテリチャージャからの前記電流信号に応答してトータルチャージ電流およびディスチャージ電流を決定する手段と、
を備える、フューエルゲージシステム。
【請求項１０】
前記複数の電流信号は複数のアナログ電圧信号であり、前記トータルチャージ電流を決定する手段は前記トータルチャージ電流を決定するために前記複数のアナログ電圧信号を合計する手段を含む、請求項９のフューエルゲージシステム。
【請求項１１】
前記複数の電流信号は各ＩＣ上で発生された複数のデジタル信号であり、前記トータルチャージ電流を決定する手段は前記トータルチャージ電流を決定するために前記複数のデジタル信号を合計する手段を含む、請求項９のフューエルゲージシステム。
【請求項１２】
前記トータルチャージ電流を決定する手段は前記複数のバッテリチャージャＩＣｓの１つ上にあり、前記フューエルゲージシステムはさらに前記他の複数のバッテリチャージャＩＣｓから前記複数のバッテリチャージャＩＣｓの前記１つへ複数のデジタル信号を通信する手段をさらに備える、請求項１１のフューエルゲージシステム。
【請求項１３】
前記トータルチャージ電流を決定する手段は、前記１つのＩＣ上の前記トータルチャージ電流を決定するために前記１つのバッテリチャージャＩＣ上の電流検出回路の入力から前記他の複数のバッテリチャージャＩＣｓからのバッテリチャージ電流を前記１つのバッテリチャージャＩＣにおいて結合する手段を備える、請求項９のフューエルゲージシステム。
【請求項１４】
バッテリをチャージするために前記バッテリに並列に結合された異なる集積回路（ＩＣｓ）上の３つ以上のバッテリチャージャの各々から、前記同一バッテリへ各前記バッテリチャージャＩＣにより発生された電流を示す電流信号を受信することと、および
前記バッテリチャージャからの前記電流信号に応答してトータルチャージ電流を決定することと、
を備える方法。
【請求項１５】
前記複数の電流信号は複数のアナログ電圧信号であり、トータルチャージ電流を決定することは前記トータルチャージ電流を決定するために前記複数のアナログ電圧信号を合計することを含む、請求項１４の方法。
【請求項１６】
前記複数の電流信号は各ＩＣ上で発生された複数のデジタル信号であり、トータルチャージ電流を決定することは、前記トータルチャージ電流を決定するために前記複数のデジタル信号を合計することを含む、請求項１４の方法。
【請求項１７】
トータルチャージ電流を決定することは、前記１つのＩＣ上の前記トータルチャージ電流を決定するために１つのバッテリチャージャＩＣ上の電流検出回路の入力から前記他の複数のバッテリチャージャＩＣｓからの前記バッテリチャージ電流を前記１つのバッテリチャージャＩＣにおいて結合することを備える、請求項１４の方法。
【請求項１８】
前記バッテリチャージャの１つは電力管路集積回路（ＰＭＩＣ）ＩＣの一部であり、前記トータルチャージ電流を決定する手段は前記ＰＭＩＣの一部である、請求項１４の方法。
【請求項１９】
前記バッテリをチャージするために前記バッテリに異なる集積回路上の前記３以上のバッテリチャージャを並列に結合することをさらに備える、請求項１４の方法。
【請求項２０】
前記各バッテリチャージャＩＣにより発生された電流を示す前記電流信号を前記３以上のバッテリチャージャの各々において発生することをさらに備える、請求項１４の方法。
【発明の詳細な説明】
【関連出願】
【０００１】
[0001]本願は、２０１５年４月２８日に出願された米国特許出願第１４／６９８，８３４号の優先権を主張し、すべての目的のためにその全体を参照することによりここに組み込まれる。
【背景技術】
【０００２】
[0002]本開示はバッテリフューエルゲージに関し、特に、複数のバッテリチャージャ間で電流情報を共有するバッテリフューエルゲージに関する。
【０００３】
[0003]本明細書において別途示されない限り、このセクション内において説明されるアプローチは、このセクション内における包含によって先行技術であるとは認められない。
【０００４】
[0004]アプリケーションは、電力消費および熱損失を低減するために３つ以上の異なるバッテリチャージャ集積回路（ＩＣｓ）間でチャージ電流を分割するマルチパスバッテリチャージインプリメンテーションを使用する。このインプリメンテーションにおける１つの問題は、複数のパスによるフューエルゲージに関するトータルのチャージ(charge)およびディスチャージ(discharge)電流を正確に測定することである。
【発明の概要】
【０００５】
[0005]本開示は複数のバッテリチャージャ間で電流情報を共有するバッテリフューエルゲージに関する技法を含む。一実施形態において、バッテリをチャージするためにバッテリに並列に結合された異なる集積回路(ICｓ)上に３つ以上のバッテリチャージャを備えるフューエルゲージシステムが記載される。各バッテリチャージャＩＣは同じバッテリ内へ各バッテリチャージャＩＣにより発生された電流を示す電流信号を発生する。フューエルゲージはバッテリによりディスチャージされる電流およびバッテリチャージャからの電流信号に応答してトータルチャージ電流を決定する。
【０００６】
[0006]一実施形態において、検出されたバッテリ電流は電圧信号として報告され、フューエルゲージは、トータルチャージ電流を決定するためにアナログ電圧信号を合計する。
【０００７】
[0007]一実施形態において、検出されたバッテリ電流は電流信号として報告され、フューエルゲージはトータルバッテリ電流を決定するためにアナログ電流読取値(reading)を合計する。
【０００８】
[0008]一実施形態において、電流信号は各バッテリチャージャＩＣ上で発生されたデジタル信号であり、フューエルゲージはトータルチャージ電流を決定するためにデジタル信号を合計する。
【０００９】
[0009]一実施形態において、電流信号は各バッテリチャージャＩＣ上で発生されたデジタル信号であり、各バッテリチャージャＩＣはデジタル信号をフューエルゲージに通信するためのドライバを含む。
【００１０】
[0010]一実施形態において、フューエルゲージは複数のバッテリチャージャＩＣｓの１つ上にある。他のバッテリチャージャＩＣｓはバスを介してバッテリチャージャＩＣｓの１つにデジタル信号を通信する。
【００１１】
[0011]一実施形態において、１つのバッテリチャージャＩＣは１つのＩＣ上のトータルチャージ電流を決定するために１つのバッテリチャージャＩＣ上の電流検出回路の入力から他のバッテリチャージャＩＣｓからのバッテリチャージ電流を結合する。
【００１２】
[0012]一実施形態において、バッテリチャージャの１つは電力管理集積回路（ＰＭＩＣ）ＩＣの一部であり、フューエルゲージはＰＭＩＣの一部である。
【００１３】
[0013]一実施形態において、フューエルゲージはバッテリチャージャから分離された集積回路上にありバッテリチャージャから電流信号を受信する。
【００１４】
[0014]さらに他の実施形態において、バッテリをチャージするためにバッテリに並列に異なる集積回路（ＩＣｓ）上の３つ以上のバッテリチャージャを結合する手段と、ここで、各バッテリチャージャＩＣは同じバッテリへ各バッテリチャージャＩＣにより発生された電流を示す電流信号を発生する、およびバッテリチャージャからの電流信号に応答してトータルチャージ電流を決定する手段を備えたフューエルゲージシステムが開示される。
【００１５】
[0015]一実施形態において、電流信号はアナログ電圧信号である。トータルチャージ電流を決定する手段はトータルチャージ電流を決定するためにアナログ電圧信号を合計する手段を含む。
【００１６】
[0016]一実施形態において、電流信号は各ＩＣ上で発生されたデジタル信号である。トータルチャージ電流を決定する手段は、トータルチャージ電流を決定するためにデジタル信号を合計する手段を含む。
【００１７】
[0017]一実施形態において、トータルチャージ電流を決定する手段は複数のバッテリチャージャＩＣｓの１つ上にある。フューエルゲージシステムはさらに他のバッテリチャージャＩＣｓからのデジタル信号を複数のバッテリチャージャＩＣｓの１つに通信する手段を備える。
【００１８】
[0018]一実施形態において、トータルチャージ電流を決定する手段は、１つのＩＣ上のトータルチャージ電流を決定するために１つのバッテリチャージャＩＣ上の電流検出回路の入力から他の複数のバッテリチャージャＩＣｓからのバッテリチャージ電流を１つのバッテリチャージャＩＣにおいて結合する手段を備える。
【００１９】
[0019]一実施形態において、複数のバッテリチャージャの１つは電力管理集積回路意（ＰＭＩＣ）ＩＣの一部であり、トータルチャージ電流を決定する手段はＰＭＩＣの一部である。
【００２０】
[0020]一実施形態においてフューエルゲージシステムはさらに３つ以上のバッテリチャージャの各々において、各バッテリチャージャＩＣにより発生された電流を示す電流信号を発生する手段を備える。
【００２１】
[0021]さらに他の実施形態において、バッテリをチャージするためにバッテリに並列に結合された異なる複数の集積回路（ＩＣｓ）上の３つ以上のバッテリチャージャの各々から、同じバッテリへ各バッテリチャージャＩＣにより発生された電流を示す電流信号を受信することと、バッテリチャージャからの電流信号に応答してトータルチャージ電流を決定することを備えた方法が開示される。
【００２２】
[0022]一実施形態において、電流信号はアナログ電圧信号である。トータルチャージ電流を決定することはトータルチャージ電流を決定するためにアナログ電圧信号を合計することを含む。
【００２３】
[0023]一実施形態において、電流信号は各ＩＣ上で発生されたデジタル信号である。トータルチャージ電流を決定することはトータルチャージ電流を決定するためにデジタル信号を合計することを含む。
【００２４】
[0024]一実施形態において、トータルチャージ電流を決定することは、１つのＩＣ上のトータルチャージ電流を決定するために１つのバッテリチャージャＩＣ上の電流検出回路の入力から他の複数のバッテリチャージャＩＣｓからのバッテリチャージ電流を１つのバッテリチャージャＩＣにおいて結合することを備える。
【００２５】
[0025]一実施形態において、バッテリチャージャの１つは電力管理集積回路（ＰＭＩＣ）ＩＣの一部である。トータルチャージ電流を決定する手段はＰＭＩＣの一部である。
[0026]一実施形態において、バッテリをチャージするために異なる集積回路上の３つ以上のバッテリチャージャをバッテリに並列に結合することをさらに備える。
【００２６】
[0027]一実施形態において、３つ以上のバッテリチャージャの各々において、各バッテリチャージャＩＣにより発生された電流を示す電流信号を発生することをさらに備える。
【００２７】
[0028]以下の詳細な説明および添付の図面は、本開示の性質および利点のより良い理解を提供する。
【図面の簡単な説明】
【００２８】
[0029]以下に続く論述および特に図面に関して、示される詳細は、例示的な論述の目的のために例を描写し、本開示の原理の説明および概念的な態様を提供するために提示されることが強調される。この点に関して、本開示の根本的な理解のために必要とされるものを超えるインプリメンテーションの詳細を示すための試みは行われない。図面と連動した、以下に続く論述は、本開示にしたがった実施形態がどのように実施されうるかを当業者に明らかにする。添付の図面は以下の通りである。
【図１】[0030]図１はいくつかの実施形態に従うフューエルゲージシステムの第１の例を図示するブロック図。
【図２】[0031]図２はいくつかの実施形態に従うフューエルゲージシステムの第２の例を図示するブロック図。
【図３】[0032]図３はいくつかの実施形態に従うフューエルゲージシステムの第３の例を図示するブロック図。
【図４】[0033]図４はいくつかの実施形態に従うフューエルゲージシステムの第４の例を図示するブロック図。
【図５】[0034]図５はいくつかの実施形態に従うフューエルゲージシステムのプロセスフローを図示するプロセスフロー図である。
【発明を実施するための形態】
【００２９】
[0035]以下の記載において、説明の目的のために、本開示の完全な理解を提供するために多くの例および特定の詳細が述べられる。しかしながら、クレームにおいて表した本開示は、単独でまたは以下に記載された他の特徴との組み合わせで、これらの例における特徴のいくつかまたはすべてを含むことができ、さらにここに記載された特徴および概念の変形例および均等物をさらに含むことができることは当業者には明白であろう。
【００３０】
[0036]バッテリをチャージするためにバッテリに並列に結合された３つ以上のバッテリチャージャを備えるバッテリチャージシステムのトータルバッテリ電流を決定するためのさまざまなフューエルゲージシステムが記載される。各バッテリチャージャはバッテリチャージャにより発生された電流を示す電流信号（すなわち、各チャージャからバッテリへ入力または出力される電流信号）を発生する。フューエルゲージはバッテリチャージャの各々から報告されたバッテリ電流に応答してトータルバッテリ電流を決定する。フューエルゲージは典型的に電力管理集積回路（ＰＭＩ）の一部である。バッテリチャージャは別個のＩＣｓ上にあり得る。ＩＣｓは、例えば、１つのＩＣ上に第１のバッテリチャージャとフューエルゲージを備え、第２のＩＣ上にバッテリチャージャを備えるＰＭＩＣを含むことができる。
【００３１】
[0037]一実施形態において、電流は各バッテリチャージャＩＣ内で検出され、電流を表すアナログ電圧に変換される。フューエルゲージはバッテリへのトータルチャージ電流を決定するためにアナログ電圧を結合する。
【００３２】
[0038]一実施形態において、電流は各バッテリチャージャＩＣにおいて検出され比例電流として報告される。フューエルゲージは、バッテリへのトータルチャージ電流を決定するために電流を結合する。
【００３３】
[0039]図１はいくつかの実施形態に従うフューエルゲージシステム１００を図示するブロック図である。
【００３４】
[0040]フューエルゲージシステム１００はバッテリチャージャ１０２とバッテリチャージャ１０４を備える。いくつかの実施形態において、バッテリチャージャ１０２および１０４は別個の集積回路（Ｉｃｓ）でインプリメントされる。いくつかの実施形態において、フューエルゲージシステム１００は２以上のバッテリチャージャ１０４でインプリメントされることができる。バッテリチャージャ１０２とバッテリチャージャ１０４はバッテリ１０６をチャージするために並列に結合される。バッテリ１０６はモバイルフォンまたはタブレットのような別のシステム（図示せず）に結合されることができる。
【００３５】
[0041]チャージャ１０２とチャージャ１０４は各々各チャージャからのチャージ電流をバッテリ１０６に提供するバッテリチャージャトランジスタ１１２ａ−ｂ（以下「バッテリチャージャＦＥＴ」と呼ばれる）を備える。バッテリチャージャＦＥＴｓ１１２ａ−ｂはバックコンバーター(a buck converter)、バックブーストコンバーター(a buck-boost converter)または低ドロップアウト(drop-out)レギュレータ（ＬＤＯ）を含むことができるチャージャ回路（図示せず）に結合されたドレインを有する。チャージャ１０２およびチャージャ１０４は各々各チャージャからのチャージ電流を検出する電流センサ１１４ａ−ｂを備え、検出されたチャージ電流を電圧または電流としてフューエルゲージ回路１１６に供給する。いくつかの実施形態において、電流センサ１１４ａ−ｂは例えばレプリカＦＥＴｓである。
【００３６】
[0042]１つのバッテリチャージャＩＣ（この例ではチャージャ１０４）はチャージ／ディスチャージ電流情報をフューエルゲージ（この例ではフューエルゲージ１１６）を有する別のチャージャＩＣ（この例ではチャージャ１０２）に送信する。各チャージャ１０２および１０４においてチャージャバッテリＦＥＴ１１２からの電流は電流センサ１１４により検出される。チャージャ１０４（またはインプリメントされている場合には複数のチャージャ１０４）からの検出された電流は、チャージャ１０２の入力端子１２８（ＩＢＡＴ＿ＩＮ）を介してアナログ電圧として出力端子１２６（ＩＢＡＴ＿ＯＵＴ）を介して提供される。フューエルゲージ１１６はバッテリ１０６へのトータルチャージ電流を決定するためにバッテリチャージャ１０２からの検出された電流とバッテリチャージャ１０４からの検出された電流を一緒に合計する加算回路１１８を含む。フューエルゲージ回路１２０はバッテリ１０６に供給されたトータルフューエルゲージチャージ電流またはディスチャージ電流を決定する。
【００３７】
[0043]一実施形態において、電流は両方のバッテリチャージャによりフューエルゲージの入力に供給され、それは、バッテリへのトータルチャージ電流を決定するために電流を結合する。
【００３８】
[0044]図２はいくつかの実施形態に従うフューエルゲージシステム２００を図示するブロック図である。フューエルゲージシステム２００はバッテリチャージャ２０２とバッテリチャージャ２０４を備える。いくつかの実施形態において、各バッテリチャージャ２０２と２０４は別個の集積回路（ＩＣ）にインプリメントされる。さまざまな実施形態において、バッテリチャージャ２０２は例えば電力管理集積回路（ＰＭＩＣ）上にインプリメントされることができる。いくつかの実施形態において、フューエルゲージシステム２００は２以上のバッテリチャージャ２０４でインプリメントされることができる。バッテリチャージャ２０２とバッテリチャージャ２０４はバッテリ１０６をチャージするために並列に結合される。フューエルゲージシステム２００は複数のバッテリチャージャ（この例では、チャージャ２０２とチャージャ２０４）からの電流を受信し、フューエルゲージ入力から上流の(upstream)電流を一緒に加算し、加算された電流をアナログ−デジタル変換器（ＡＤＣ）とフューエルゲージアルゴリズムに印加する。この場合、チャージャ２０４（並列チャージャ）のチャージャバッテリＦＥＴ２１２からの電流はチャージャ２０２のチャージャバッテリＦＥＴ２１２へアナログ電流として供給される。チャージャ２０２内のフューエルゲージ１１６はチャージャ２０２のチャージャバッテリＦＥＴ２１２を介した電流をトータルチャージ電流として検出する。
【００３９】
[0045]上述したように、ＰＭＩＣチャージャ２０２は、端子２２０、インダクタ２２２（それはキャパシタＣ１に結合される）、端子２２４、およびチャージャバッテリＦＥＴ２１２を介してチャージ電流を供給する。インダクタ２２２とキャパシタＣ１はバックコンバーター(buck converter)またはバックブーストコンバーター(buck-boost converter)のようなチャージ回路の一部であり得る。（図１および３のフューエルゲージシステムは各チャージャに関して類似のインダクタおよびキャパシタを含むことができる。）ＰＭＩＣチャージャ２０２は端子２２６を介してバッテリ１０６にチャージ電流を提供する。
【００４０】
[0046]パラレルチャージャ２０４は上述したように、端子２３０、インダクタ２３２（それはキャパシタＣ２に結合される）、端子２３４を介しておよびチャージャバッテリＦＥＴ２１２を介してチャージ電流を供給する。インダクタ２３２とキャパシタＣ２はバックコンバーターまたはバックブーストコンバーターのようなチャージ回路の一部であり得る。パラレルチャージャ２０４は端子２３６を介してＰＭＩＣチャージャ２０２の端子２２４にチャージ電流を供給し、ここでチャージ電流はＰＭＩＣチャージャ２０２からのチャージ電流と加算される。電流の合計値はＰＭＩＣチャージャ２０２のチャージャバッテリＦＥＴ２１２および端子２２６を介してバッテリ１０６に結合される。
【００４１】
[0047]ディスチャージ電流は例えば、バッテリ１０６から端子２２６、およびＶｓｙｓ（システムパワーサプライ電圧）へという反対方向にある。
【００４２】
[0048]一実施形態において、電流は各バッテリチャージャにおいて検出され電流を表すデジタル信号に変換される。フューエルゲージはバッテリへのトータルチャージ電流を決定するためにデジタル信号を結合する。
【００４３】
[0049]図３はいくつかの実施形態に従うフューエルゲージシステム３００を図示するブロック図である。フューエルゲージシステム３００はバッテリチャージャ３０２とバッテリチャージャ３０４を備える。いくつかの実施形態において、各バッテリチャージャ３０２と３０４は別個の集積回路（ＩＣ）内にインプリメントされる。種々の実施形態において、バッテリチャージャ３０２はＰＭＩＣチャージャである。いくつかの実施形態において、フューエルゲージシステム３００は２以上のバッテリチャージャ３０４でインプリメントされることができる。バッテリチャージャ３０２とバッテリチャージャ３０４はバッテリ１０６をチャージするために並列に結合される。
【００４４】
[0050]フューエルゲージシステム３００は複数のバッテリチャージャ（この例ではチャージャ３０２とチャージャ３０４）からデジタル信号として電流を受信し、電流を一緒にデジタルに合計し、バッテリ１０６へのトータルチャージ電流を決定するためにフューエルゲージアルゴリズム３１６を適用する。
【００４５】
[0051]各チャージャ３０２と３０４はチャージャに関するデジタル化されたチャージ電流を発生するために各チャージャＩＣ上のアナログ−デジタル変換器（ＡＤＣ）３１８−ｂによってデジタル化されるローカルアナログ信号(電流ＡＤＣ、ＩＡＤＣとして示される)を発生するために各チャージャからの電流（例えば、それぞれ端子３３４ａ−ｂおよび３３６ａ−ｂを介してチャージャバッテリＦＥＴｓ３１２ａ−ｂを介した電流）のアナログ検出（複数のレプリカＦＥＴｓを含む、アナログ電流検出回路３１０ａ−ｂにおける）を用いる。各チャージャ上のデジタルコントロールブロック３２４ａ−ｂはデータバス３３０上の端子３３２ａ−ｂを介してチャージャ３０４ＩＣからチャージャ３０２ＩＣへのチャージャ３０４のデジタル化されたチャージ電流を通信するために使用されることができる。次にデジタル化された電流は例えば、チャージャ３０２ＩＣ上で結合されることができフューエルゲージアルゴリズム３１６において使用されることができる。プロセッサにおいて実行されメモリ内に記憶されるソフトウエア３２８はデータバス３３０上のチャージャ３０２と３０４を制御することができる。いくつかの実施形態において、ソフトウエア３２８はＩＡＤＣｓ３１８ａ−ｂおよび変換のトリガと報告を構成するプロトコルをインプリメントすることができる。いくつかの実施形態において、ＩＡＤＣｓ３１８ａ−ｂはバス３３０に直接通信する。いくつかの実施形態において、単一のマスタバス構成が使用されることができる。
【００４６】
[0052]図４はいくつかの実施形態に従うフューエルゲージシステム１００を図示するブロック図である。
【００４７】
[0053]フューエルゲージシステム４００は複数のバッテリチャージャ４０４−１および４０４−２を備える。いくつかの実施形態において、バッテリチャージャ４０４−１と４０４−２は別個の集積回路（ＩＣｓ）においてインプリメントされる。バッテリチャージャ４０４はバッテリ１０６をチャージするために並列に結合される。バッテリ１０６はモバイルフォンまたはタブレットのような別のシステム（図示せず）に結合されることができる。チャージャ４０４−１と４０４−２はそれぞれチャージャ１０４（図１）におけるような類似の態様で配列されたバッテリチャージャトランジスタ１１２ａ−ｂおよび電流センサ１１４ａ−ｂを備える。
【００４８】
[0054]バッテリチャージャ４０４−１および４０４−２の各々はチャージ／ディスチャージ電流情報をフューエルゲージ４１６に送信する。フューエルゲージ４１６はフューエルゲージ１１６（図１）に類似するがバッテリチャージャ４０４−１および４０４−２のＩＣｓから分離されている。各チャージャにおいて電流センサ１１４ａ−ｂにより検出されるチャージャバッテリＦＥＴｓ１１２ａ−ｂからの電流はフューエルゲージ４１６の入力端子４２８ａ−ｂ（ＩＢＡＴ＿ＩＮ）を介してアナログ電圧として出力端子１２６ａ−ｂ（ＩＢＡＴ＿ＯＵＴ）を介して供給される。フューエルゲージアルゴリズム回路１２０はバッテリ１０６へ供給されるトータルフューエルゲージチャージまたはディスチャージ電流を決定する。
【００４９】
[0055]一実施形態において、電流はフューエルゲージの入力に両方のバッテリチャージャにより供給され、それはバッテリへのトータルチャージ電流を決定するために電流を結合する。
【００５０】
[0056]図５はいくつかの実施形態に従うフューエルゲージシステムのプロセスフロー５００を図示するプロセスフロー図である。
【００５１】
[0057]５０２においてバッテリをチャージするためにバッテリに並列に結合された異なる集積回路（ＩＣｓ）上の３以上のバッテリチャージャに関して、同一バッテリへの前記各バッテリチャージャＩＣにより発生された電流を示す電流信号が受信される。５０４において、トータルバッテリ電流はバッテリチャージャからの電流信号に応答して決定される。
【００５２】
[0058]フューエルゲージシステム１００のようないくつかのフューエルゲージシステムに関して、電流信号はアナログ電圧信号である。５０４において、バッテリ電流を決定することはトータルチャージ電流を決定するためにアナログ電圧信号を加算することを含む。
【００５３】
[0059]フューエルゲージシステム３００のようないくつかのフューエルゲージシステムに関して、電流信号は各ＩＣ上で発生されたデジタル信号である。５０４において、トータルチャージ電流を決定することはトータルチャージ電流を決定するためにデジタル信号を加算することを含む。
【００５４】
[0060]５０４においてフューエルゲージシステム３００のようないくつかのフューエルゲージシステムに関して、トータルチャージ電流を決定することは、１つのＩＣ上のトータルチャージ電流を決定するために１つのバッテリチャージャＩＣ上の電流検出回路の入力から他の複数のバッテリチャージャＩＣｓからのバッテリチャージ電流を１つのバッテリチャージャＩＣにおいて結合することを備える。
【００５５】
[0061]ここに記載されたフューエルゲージシステムはトータルチャージおよびディスチャージ電流を検出するすべてのチャージャとバッテリとの間に直列に結合された検出抵抗からバッテリとのさらなる直列抵抗を回避する。
【００５６】
[0062]上述の説明は特定の実施形態がどのようにインプリメントされることができるかの例とともに本開示の種々の実施形態を図示する。上述の例は唯一の実施形態であるとみなされるべきではなく、以下のクレームにより定義される特定の実施形態の柔軟性と利点を示すために提供される。上述の開示および以下のクレームに基づいて、他の構成、実施形態、インプリメンテーションおよび均等物はクレームにより定義される本開示の範囲を逸脱することなく採用されることができる。
【図１】
2018515056.tif 000003
【図２】
2018515056.tif 000004
【図３】
2018515056.tif 000005
【図４】
2018515056.tif 000006
【図５】
2018515056.tif 000007
【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
バッテリをチャージするためにバッテリに並列に結合された異なる複数の集積回路（ＩＣｓ）上の３つ以上のバッテリチャージャと、各バッテリチャージャＩＣは前記同一バッテリへの前記各バッテリチャージャにより発生された電流を示す電流信号を発生する、および
前記バッテリおよび前記３つ以上のバッテリチャージャに結合され、前記バッテリによりディスチャージされた電流および前記複数のバッテリチャージャからの前記複数の電流信号に応答してトータルバッテリ電流を決定するためのフューエルゲージと
を備えるフューエルゲージシステム。
【請求項２】
前記複数の電流信号は複数のアナログ電圧信号であり、前記フューエルゲージは前記トータルチャージ電流を決定するために前記複数のアナログ電圧信号を合計する、請求項１のフューエルゲージシステム。
【請求項３】
前記複数の電流信号は複数のアナログ電流信号であり、前記フューエルゲージは前記トータルチャージ電流を決定するために前記複数のアナログ電流信号を合計する、請求項１のフューエルゲージシステム。
【請求項４】
前記複数の電流信号は各バッテリチャージャＩＣ上で発生された複数のデジタル信号であり、前記フューエルゲージは前記トータルチャージ電流を決定するために前記複数のデジタル信号を合計する、請求項１のフューエルゲージシステム。
【請求項５】
前記フューエルゲージは前記複数のバッテリチャージャＩＣｓの１つ上にあり、前記他の複数のバッテリチャージャＩＣｓはバスを介して前記複数のバッテリチャージャＩＣｓの前記１つに通信する、請求項４のフューエルゲージシステム。
【請求項６】
前記フューエルゲージは前記複数のバッテリチャージャから分離された１つの集積回路上にあり前記複数おｎバッテリチャージャから前記複数の電流信号を受信する、請求項１のフューエルゲージシステム。
【請求項７】
１つのバッテリチャージャＩＣは前記１つのＩＣ上の前記トータルチャージ電流を決定するために前記１つのバッテリチャージャＩＣ上の電流検出回路の入力から前記他の複数のバッテリチャージャＩＣからの前記バッテリチャージ電流を結合する、請求項１のフューエルゲージシステム。
【請求項８】
前記バッテリチャージャの１つは電力管理集積回路（ＰＭＩＣ）ＩＣの一部であり、前記フューエルゲージは前記ＰＭＩＣの一部である、請求項１のフューエルゲージシステム。
【請求項９】
バッテリをチャージするために前記バッテリに並列に異なる集積回路（ＩＣｓ）上の３つ以上のバッテリチャージャを結合する手段と、ここで各バッテリチャージャＩＣは同一バッテリへ各バッテリチャージャＩＣにより発生された電流を示す電流信号を発生する、
トータルチャージ電流およびディスチャージ電流を決定する手段と、前記決定する手段は前記バッテリおよび前記３つ以上のバッテリチャージャに結合され、前記バッテリによりディスチャージされた電流および前記バッテリチャージャからの前記電流信号に応答してトータルバッテリ電流を決定する、
を備える、フューエルゲージシステム。
【請求項１０】
前記複数の電流信号は複数のアナログ電圧信号であり、前記トータルチャージ電流を決定する手段は前記トータルチャージ電流を決定するために前記複数のアナログ電圧信号を合計する手段を含む、請求項９のフューエルゲージシステム。
【請求項１１】
前記複数の電流信号は各ＩＣ上で発生された複数のデジタル信号であり、前記トータルチャージ電流を決定する手段は前記トータルチャージ電流を決定するために前記複数のデジタル信号を合計する手段を含む、請求項９のフューエルゲージシステム。
【請求項１２】
前記トータルチャージ電流を決定する手段は前記複数のバッテリチャージャＩＣｓの１つ上にあり、前記フューエルゲージシステムはさらに前記他の複数のバッテリチャージャＩＣｓから前記複数のバッテリチャージャＩＣｓの前記１つへ複数のデジタル信号を通信する手段をさらに備える、請求項１１のフューエルゲージシステム。
【請求項１３】
前記トータルチャージ電流を決定する手段は、前記１つのＩＣ上の前記トータルチャージ電流を決定するために前記１つのバッテリチャージャＩＣ上の電流検出回路の入力から前記他の複数のバッテリチャージャＩＣｓからのバッテリチャージ電流を前記１つのバッテリチャージャＩＣにおいて結合する手段を備える、請求項９のフューエルゲージシステム。
【請求項１４】
バッテリをチャージするために前記バッテリに並列に結合された異なる集積回路（ＩＣｓ）上の３つ以上のバッテリチャージャの各々から、前記同一バッテリへ各前記バッテリチャージャＩＣにより発生された電流を示す電流信号を受信することと、および
前記バッテリチャージャからの前記電流信号および前記バッテリからの電流に応答してトータルチャージ電流を決定することと、
を備える方法。
【請求項１５】
前記複数の電流信号は複数のアナログ電圧信号であり、トータルチャージ電流を決定することは前記トータルチャージ電流を決定するために前記複数のアナログ電圧信号を合計することを含む、請求項１４の方法。
【請求項１６】
前記複数の電流信号は各ＩＣ上で発生された複数のデジタル信号であり、トータルチャージ電流を決定することは、前記トータルチャージ電流を決定するために前記複数のデジタル信号を合計することを含む、請求項１４の方法。
【請求項１７】
トータルチャージ電流を決定することは、前記１つのＩＣ上の前記トータルチャージ電流を決定するために１つのバッテリチャージャＩＣ上の電流検出回路の入力から前記他の複数のバッテリチャージャＩＣｓからの前記バッテリチャージ電流を前記１つのバッテリチャージャＩＣにおいて結合することを備える、請求項１４の方法。
【請求項１８】
前記バッテリチャージャの１つは電力管路集積回路（ＰＭＩＣ）ＩＣの一部であり、前記トータルチャージ電流を決定する手段は前記ＰＭＩＣの一部である、請求項１４の方法。
【請求項１９】
前記バッテリをチャージするために前記バッテリに異なる集積回路上の前記３以上のバッテリチャージャを並列に結合することをさらに備える、請求項１４の方法。
【請求項２０】
前記各バッテリチャージャＩＣにより発生された電流を示す前記電流信号を前記３以上のバッテリチャージャの各々において発生することをさらに備える、請求項１４の方法。
【手続補正２】
【補正対象書類名】明細書
【補正対象項目名】００５６
【補正方法】変更
【補正の内容】
【００５６】
[0062]上述の説明は特定の実施形態がどのようにインプリメントされることができるかの例とともに本開示の種々の実施形態を図示する。上述の例は唯一の実施形態であるとみなされるべきではなく、以下のクレームにより定義される特定の実施形態の柔軟性と利点を示すために提供される。上述の開示および以下のクレームに基づいて、他の構成、実施形態、インプリメンテーションおよび均等物はクレームにより定義される本開示の範囲を逸脱することなく採用されることができる。
以下に本願の出願当初の特許請求の範囲に記載された発明を付記する。
「Ｃ１］
バッテリをチャージするためにバッテリに並列に結合された異なる複数の集積回路（ＩＣｓ）上の３つ以上のバッテリチャージャと、各バッテリチャージャＩＣは前記同一バッテリへの前記各バッテリチャージャにより発生された電流を示す電流信号を発生する、および
前記バッテリによりディスチャージされた電流および前記複数のバッテリチャージャからの前記複数の電流信号に応答してトータルバッテリ電流を決定するためのフューエルゲージと
を備えるフューエルゲージシステム。
「Ｃ２］
前記複数の電流信号は複数のアナログ電圧信号であり、前記フューエルゲージは前記トータルチャージ電流を決定するために前記複数のアナログ電圧信号を合計する、Ｃ１のフューエルゲージシステム。
「Ｃ３］
前記複数の電流信号は複数のアナログ電流信号であり、前記フューエルゲージは前記トータルチャージ電流を決定するために前記複数のアナログ電流信号を合計する、Ｃ１のフューエルゲージシステム。
「Ｃ４］
前記複数の電流信号は各バッテリチャージャＩＣ上で発生された複数のデジタル信号であり、前記フューエルゲージは前記トータルチャージ電流を決定するために前記複数のデジタル信号を合計する、Ｃ１のフューエルゲージシステム。
「Ｃ５］
前記フューエルゲージは前記複数のバッテリチャージャＩＣｓの１つ上にあり、前記他の複数のバッテリチャージャＩＣｓはバスを介して前記複数のバッテリチャージャＩＣｓの前記１つに通信する、Ｃ４のフューエルゲージシステム。
「Ｃ６］
前記フューエルゲージは前記複数のバッテリチャージャから分離された１つの集積回路上にあり前記複数おｎバッテリチャージャから前記複数の電流信号を受信する、Ｃ１のフューエルゲージシステム。
「Ｃ７］
１つのバッテリチャージャＩＣは前記１つのＩＣ上の前記トータルチャージ電流を決定するために前記１つのバッテリチャージャＩＣ上の電流検出回路の入力から前記他の複数のバッテリチャージャＩＣからの前記バッテリチャージ電流を結合する、Ｃ１のフューエルゲージシステム。
「Ｃ８］
前記バッテリチャージャの１つは電力管理集積回路（ＰＭＩＣ）ＩＣの一部であり、前記フューエルゲージは前記ＰＭＩＣの一部である、Ｃ１のフューエルゲージシステム。
「Ｃ９］
バッテリをチャージするために前記バッテリに並列に異なる集積回路（ＩＣｓ）上の３つ以上のバッテリチャージャを結合する手段と、ここで各バッテリチャージャＩＣは同一バッテリへ各バッテリチャージャＩＣにより発生された電流を示す電流信号を発生する、
前記バッテリチャージャからの前記電流信号に応答してトータルチャージ電流およびディスチャージ電流を決定する手段と、
を備える、フューエルゲージシステム。
「Ｃ１０］
前記複数の電流信号は複数のアナログ電圧信号であり、前記トータルチャージ電流を決定する手段は前記トータルチャージ電流を決定するために前記複数のアナログ電圧信号を合計する手段を含む、Ｃ９のフューエルゲージシステム。
「Ｃ１１］
前記複数の電流信号は各ＩＣ上で発生された複数のデジタル信号であり、前記トータルチャージ電流を決定する手段は前記トータルチャージ電流を決定するために前記複数のデジタル信号を合計する手段を含む、Ｃ９のフューエルゲージシステム。
「Ｃ１２］
前記トータルチャージ電流を決定する手段は前記複数のバッテリチャージャＩＣｓの１つ上にあり、前記フューエルゲージシステムはさらに前記他の複数のバッテリチャージャＩＣｓから前記複数のバッテリチャージャＩＣｓの前記１つへ複数のデジタル信号を通信する手段をさらに備える、Ｃ１１のフューエルゲージシステム。
「Ｃ１３］
前記トータルチャージ電流を決定する手段は、前記１つのＩＣ上の前記トータルチャージ電流を決定するために前記１つのバッテリチャージャＩＣ上の電流検出回路の入力から前記他の複数のバッテリチャージャＩＣｓからのバッテリチャージ電流を前記１つのバッテリチャージャＩＣにおいて結合する手段を備える、Ｃ９のフューエルゲージシステム。
「Ｃ１４］
バッテリをチャージするために前記バッテリに並列に結合された異なる集積回路（ＩＣｓ）上の３つ以上のバッテリチャージャの各々から、前記同一バッテリへ各前記バッテリチャージャＩＣにより発生された電流を示す電流信号を受信することと、および
前記バッテリチャージャからの前記電流信号に応答してトータルチャージ電流を決定することと、
を備える方法。
「Ｃ１５］
前記複数の電流信号は複数のアナログ電圧信号であり、トータルチャージ電流を決定することは前記トータルチャージ電流を決定するために前記複数のアナログ電圧信号を合計することを含む、Ｃ１４の方法。
「Ｃ１６］
前記複数の電流信号は各ＩＣ上で発生された複数のデジタル信号であり、トータルチャージ電流を決定することは、前記トータルチャージ電流を決定するために前記複数のデジタル信号を合計することを含む、Ｃ１４の方法。
「Ｃ１７］
トータルチャージ電流を決定することは、前記１つのＩＣ上の前記トータルチャージ電流を決定するために１つのバッテリチャージャＩＣ上の電流検出回路の入力から前記他の複数のバッテリチャージャＩＣｓからの前記バッテリチャージ電流を前記１つのバッテリチャージャＩＣにおいて結合することを備える、Ｃ１４の方法。
「Ｃ１８］
前記バッテリチャージャの１つは電力管路集積回路（ＰＭＩＣ）ＩＣの一部であり、前記トータルチャージ電流を決定する手段は前記ＰＭＩＣの一部である、Ｃ１４の方法。
「Ｃ１９］
前記バッテリをチャージするために前記バッテリに異なる集積回路上の前記３以上のバッテリチャージャを並列に結合することをさらに備える、Ｃ１４の方法。
「Ｃ２０］
前記各バッテリチャージャＩＣにより発生された電流を示す前記電流信号を前記３以上のバッテリチャージャの各々において発生することをさらに備える、Ｃ１４の方法。
【国際調査報告】
2018515056.tif 000008
2018515056.tif 000009